(57)【要約】【課題】  端子へのオスピン挿入時、オスピンの斜め挿入や抉り等に起因する端子の変形を防止するとともに、作業性を大幅に向上させる。【解決手段】  端子変形防止カバー１０は、ギボシ端子１を収容可能な樹脂製のハウジング２０と、ハウジング２０に収容されるギボシ端子１の接触部２に取り付けられるゴム製の弾性体３０とから構成される。弾性体３０は、ギボシ端子１がハウジング２０の端子収容部２４，２５に収容され、ハウジング２０が閉じられて各係止部２６に各係止突起２７が係止されることにより、各ハウジング２１，２２間に挟持され、ギボシ端子１の接触部２と各ハウジング２１，２２との間に介在される。弾性体３０は、ギボシ端子１の接触部２内方へのオスピンの嵌合・挿入時、オスピンの動きに応じて所定の範囲内で弾性変形することにより、ギボシ端子１の僅かな変形を許容する。【選択図】        図１
2007048611.tif 000002
【特許請求の範囲】
【請求項１】
嵌合部材を嵌合可能な端子の変形を防止する端子変形防止カバーであって、
端子を収容可能なハウジングと、
端子の所定部位に取り付けられ、端子が前記ハウジングに収容された状態で、端子の所定部位と前記ハウジングとの間に介在される弾性体とを備えたことを特徴とする端子変形防止カバー。
【請求項２】
前記ハウジングは、一対のハウジングをヒンジ部を介して開閉可能に連結して構成されており、各ハウジングには、閉状態の各ハウジング同士を係止する係止手段を備え、
前記弾性体は、端子が前記ハウジングに収容される前に端子の所定部位に取り付けられ、前記各ハウジングが係止手段により係止されることにより、前記各ハウジング間に挟持されることを特徴とする請求項１記載の端子変形防止カバー。
【請求項３】
前記ハウジングが樹脂製であり、前記弾性体がゴム製であることを特徴とする請求項１又は２記載の端子変形防止カバー。
【発明の詳細な説明】
【技術分野】
【０００１】
本発明は、例えばワイヤーハーネスの電線同士を接続させるギボシ端子等の端子へのオスピン挿入時、オスピンを端子に対して所定の挿入姿勢に保持し、端子に対するオスピンの斜め挿入や抉り等に起因する端子の変形を防止するための端子変形防止カバーに関する。
【背景技術】
【０００２】
従来から、自動車等の内燃機関における点火プラグと、点火コイル及びディストリビュータから伸びる高圧電線との接続等に用いられる高圧電線用接続装置は知られている（例えば、特許文献１参照）。図８は、特許文献１で開示されている高圧電線用接続装置を示す断面図である。
【０００３】
図８に示されるように、高圧電線用接続装置１００は、高圧電線１０１に接続される接続端子１０２と、ギボシ形状の端子部を保護するためのゴムキャップ体１０３とから構成される。
【０００４】
接続端子１０２は、高圧電線１０１に接続される電線接続部１０２ａと、ギボシ形状の端子部を嵌合される端子接続部１０２ｂとを備える。端子接続部１０２ｂは、ギボシ形状の端子部が嵌入される円筒状の嵌入筒部１０２ｄと、嵌入筒部１０２ｄに外嵌された略Ｃ字状に形成された弾性リング体１０２ｅとを備える。
【０００５】
また、ゴムキャップ体１０３は、接続端子１０２を収容保持させる端子収容部１０３ａと、ギボシ形状の端子部を挿入案内するプラグ挿入部１０３ｂとを有しており、コーナー出隅部１０３ｃを略直角状に形成されている。
【特許文献１】特開平１０―１４４４４６号公報（第１図）
【発明の開示】
【発明が解決しようとする課題】
【０００６】
上述した従来の高圧電線用接続装置１００では、接続端子１０２へのギボシ形状の端子部の挿入時、端子部が、ゴムキャップ体１０３のプラグ挿入部１０３ｂにより案内され、接続端子１０２の端子接続部１０２ｂに嵌合される。これにより、接続端子１０２に対する端子部の嵌合時及び離脱時の操作性が向上される。
【０００７】
しかし、ギボシ状の端子部が斜めに挿入されたり、抉られたりした場合には、プラグ挿入部１０３ｂを含めてゴムキャップ体１０３がゴム製であることから、端子部の挿入案内が機能せず、端子部が接続端子１０２の端子接続部１０２ｂを変形させてしまうという問題があった。
【０００８】
本発明は、端子への嵌合部材の嵌合時、嵌合部材の斜め嵌合や抉り等に起因する端子の変形を防止することができるとともに、作業性を大幅に向上させることができる端子変形防止カバーを提供することを目的としている。
【課題を解決するための手段】
【０００９】
１）本発明の端子変形防止カバーは、嵌合部材を嵌合可能な端子の変形を防止する端子変形防止カバーであって、端子を収容可能なハウジングと、端子の所定部位に取り付けられ、端子がハウジングに収容された状態で、端子の所定部位とハウジングとの間に介在される弾性体とを備えたことを特徴とする。
【００１０】
前記端子変形防止カバーでは、端子への嵌合部材の嵌合時、例え嵌合部材が端子に対して斜めの姿勢となったり、抉られたりした場合でも、ハウジングにより端子の変形を防止することができる端子変形防止カバーが得られる。
また、端子の所定部位とハウジングとの間に介在された弾性体は、端子への嵌合部材の嵌合時、嵌合部材の動きに応じて所定の範囲内で弾性変形することにより、端子の僅かな変形を許容し、嵌合部材の嵌合に必要な力を軽減させるとともに、弾性変形に伴う反発力により、嵌合部材の斜め嵌合や抉り等に起因する端子の変形を防止する。
【００１１】
２）本発明の端子変形防止カバーは、前記１）に記載の端子変形防止カバーにおいて、ハウジングは、一対のハウジングをヒンジ部を介して開閉可能に連結して構成されており、各ハウジングには、閉状態の各ハウジング同士を係止する係止手段を備え、  前記弾性体は、端子がハウジングに収容される前に、端子の所定部位に取り付けられ、各ハウジングが係止手段により係止されることにより、各ハウジング間に挟持されることを特徴とする。
【００１２】
前記端子変形防止カバーでは、端子への嵌合部材の嵌合時、例え嵌合部材が端子に対して斜めの姿勢となったり、抉られたりした場合でも、係止手段により係止された各ハウジングにより端子の変形を防止することができる端子変形防止カバーが得られる。
また、端子の所定部位とハウジングとの間に介在された弾性体は、端子への嵌合部材の嵌合時、嵌合部材の動きに応じて所定の範囲内で弾性変形することにより、端子の僅かな変形を許容し、嵌合部材の嵌合に必要な力を軽減させるとともに、弾性変形に伴う反発力により、嵌合部材の斜め嵌合や抉り等に起因する端子の変形を防止する。
【００１３】
３）本発明の端子変形防止カバーは、前記１）又は２）に記載の端子変形防止カバーにおいて、ハウジングが樹脂製であり、前記弾性体がゴム製であることを特徴とする。
【００１４】
前記端子変形防止カバーでは、ハウジングが樹脂製であり、弾性体がゴム製であるので、端子への嵌合部材の嵌合時、例え嵌合部材が端子に対して斜めの姿勢となったり、抉られたりした場合でも、ハウジングにより端子の変形を防止することができ、弾性体により嵌合部材の嵌合に必要な力を軽減させることができる端子変形防止カバーが得られる。
【発明の効果】
【００１５】
本発明の端子変形防止カバーによれば、端子への嵌合部材の嵌合時、嵌合部材の斜め嵌合や抉り等に起因する端子の変形を防止することができるとともに、作業性を大幅に向上させることができる。
【発明を実施するための最良の形態】
【００１６】
以下、図示実施形態により、本発明を説明する。
図１は本発明の一実施形態である端子変形防止カバーのハウジングを開いてギボシ端子を収容した状態を示す斜視図、図２は図１の端子変形防止カバーのハウジングを閉じた状態を示す斜視図である。また、図３は図１の端子変形防止カバーのハウジングのみを示す開いた状態の斜視図、図４は図１の端子変形防止カバーの弾性体のみを示す斜視図、図５は図１の端子変形防止カバーを取り付けられるギボシ端子を示す斜視図である。更に、図６は図２の端子変形防止カバーを取り付けられたギボシ端子にオスピンが挿入され、端子変形防止カバーの上側ハウジングを除いた状態を示す一部断面図、図７はオスピンの外形状を示す要部斜視図である。
【００１７】
図１〜図７を参照すると、端子変形防止カバー１０は、電線４に接続されたギボシ端子１を収容可能な樹脂製のハウジング２０と、ギボシ端子１の所定部位である接触部２に取り付けられるゴム製の弾性体３０とから構成されており、収容されたギボシ端子１の変形を防止する。
【００１８】
すなわち、ハウジング２０は、上側ハウジング２１及び下側ハウジング２２から構成されており、各ハウジング２１，２２は、一対のヒンジ部２３を介して開閉可能に連結されている。各ハウジング２１，２２の内面側にはそれぞれ、閉状態でギボシ端子１の収容空間となる端子収容部２４，２５が形成されている。
【００１９】
上側ハウジング２１における所定の３箇所には、係止部２６が、それぞれ所定の向きで設けられる。また、下側ハウジング２２における各係止部２６に対応する３箇所には、係止突起２７が、それぞれ対応する各係止部２６に係止可能に設けられる。各ハウジング２１，２２は、それぞれ閉状態において、上側ハウジング２１の各係止部２６に下側ハウジング２２の対応する各係止突起２７が係止されることにより、閉状態に保持される。
【００２０】
弾性体３０は、環状に形成されており、ギボシ端子１の接触部２外面に、ギボシ端子１がハウジング２０の端子収容部２４，２５に収容される前に取り付けられる。弾性体３０は、ギボシ端子１がハウジング２０の端子収容部２４，２５に収容され、ハウジング２０が閉じられて各係止部２６に各係止突起２７が係止されることにより、各ハウジング２１，２２間に挟持され、ギボシ端子１の接触部２と各ハウジング２１，２２との間に介在される。
【００２１】
弾性体３０は、ギボシ端子１の接触部２内方へのオスピン３の嵌合・挿入時、オスピン３の動きに応じて所定の範囲内で弾性変形することにより、ギボシ端子１の僅かな変形を許容し、又はハウジング２０に対するギボシ端子１の僅かな変位を許容する。
【００２２】
本実施形態の作用を説明する。
端子変形防止カバー１０では、ギボシ端子１の接触部２内方へのオスピン３挿入時、例えオスピン３が、ギボシ端子１に対して斜め挿入となったり、抉られたりした場合でも、ハウジング２０によりギボシ端子１の接触部２の変形が防止される。
【００２３】
この際、ギボシ端子１の接触部２とハウジング２０との間に介在された弾性体３０は、オスピン３の動きに応じて所定の範囲内で弾性変形する。これにより、弾性体３０は、オスピン３の挿入に伴うギボシ端子１の接触部２の僅かな拡径を許容し、オスピン３の挿入に必要な力を軽減させるとともに、弾性変形に伴う反発力により、ギボシ端子１の接触部２のそれ以上の拡径を抑制させ、オスピン３の斜め挿入や抉り等に起因するギボシ端子１の接触部２の変形を防止する。
【００２４】
以上のように上記実施形態によれば、端子変形防止カバー１０は、ギボシ端子１の接触部２内方へのオスピン３挿入時、ギボシ端子１に対するオスピン３の斜め挿入や抉り等に起因するギボシ端子１の変形を防止することができるとともに、作業性を大幅に向上させることができる。
【００２５】
すなわち、ギボシ端子１の接触部２内方へのオスピン３挿入時、ギボシ端子１に対するオスピン３の斜め挿入や抉りが生じても、ハウジング２０によりギボシ端子１の接触部２の変形を防止することができる。
【００２６】
また、ギボシ端子１の接触部２内方へのオスピン３の挿入に伴う弾性体３０の弾性変形により、ギボシ端子１の接触部２の僅かな拡径を許容することができる。したがって、オスピン３の挿入に必要な力を軽減させることができる。更に、ギボシ端子１の接触部２の拡径が所定量に達すると、弾性体３０の弾性変形に伴う反発力により、ギボシ端子１の接触部２のそれ以上の拡径を抑制することができ、オスピン３の斜め挿入や抉り等に起因するギボシ端子１の接触部２の変形を防止することができる。
【００２７】
これらにより、ギボシ端子１の接触部２内方へのオスピン３挿入時の作業性を大幅に向上させることができ、作業時のヒューマンエラーを低減させることができる。また、梱包時、輸送時におけるギボシ端子１の変形も防止することができる。
【００２８】
本発明により得られる端子変形防止カバーは、例えばワイヤーハーネスの電線同士を接続させるギボシ端子等の端子へのオスピン挿入時、オスピンの斜め挿入や抉り等に起因して端子の変形が起こり易い場合に好適に用いられる。
【図面の簡単な説明】
【００２９】
【図１】本発明の一実施形態である端子変形防止カバーのハウジングを開いてギボシ端子を収容した状態を示す斜視図である。
【図２】図１の端子変形防止カバーのハウジングを閉じた状態を示す斜視図である。
【図３】図１の端子変形防止カバーのハウジングのみを示す開いた状態の斜視図である。
【図４】図１の端子変形防止カバーの弾性体のみを示す斜視図である。
【図５】図１の端子変形防止カバーを取り付けられるギボシ端子を示す斜視図である。
【図６】図２の端子変形防止カバーを取り付けられたギボシ端子にオスピンが挿入され、端子変形防止カバーの上側ハウジングを除いた状態を示す一部断面図である。
【図７】オスピンの外形状を示す要部斜視図である。
【図８】特許文献１で開示されている高圧電線用接続装置を示す断面図である。
【符号の説明】
【００３０】
１  端子（ギボシ端子）
２  接触部
３  嵌合部材（オスピン）
１０  端子変形防止カバー
２０  ハウジング
２１  上側ハウジング
２２  下側ハウジング
２３  ヒンジ部
２４，２５  端子収容部
２６  係止手段（係止部）
２７  係止手段（係止突起）
３０  弾性体
【図１】
2007048611.tif 000003
【図２】
2007048611.tif 000004
【図３】
2007048611.tif 000005
【図４】
2007048611.tif 000006
【図５】
2007048611.tif 000007
【図６】
2007048611.tif 000008
【図７】
2007048611.tif 000009
【図８】
2007048611.tif 000010